(57)【要約】【課題】高所位置や狭い位置に付着した汚染物質を効率よく取り除くことができる清掃装置および清掃部材を提供すること。【解決手段】清掃装置１は、所定の長さを有する棒状部１１と、棒状部１１の一端部に取り付けられた把持部材１３と、把持部材１３に操作可能に取り付けられた操作部材１４と、棒状部１１の他端部に取り付けられ、操作部材１４の操作により開位置と閉位置との間で開閉可能であり、閉位置で挟み込み可能な挟持部１６と、清掃対象箇所に付着している汚染物質に摺接されて汚染物質を取り除く接触部材２１と挟持部１６に取着され接触部材２１を支持する支持部材２２とを有する清掃部材２０と、を有する。【選択図】図１
2018201871.tif 000002
【特許請求の範囲】
【請求項１】
所定の長さを有する棒状部と、
前記棒状部の一端部に取り付けられた把持部材と、
前記把持部材に操作可能に取り付けられた操作部材と、
前記棒状部の他端部に取り付けられ、前記操作部材の操作により開位置と閉位置との間で開閉可能であり、前記閉位置で挟み込み可能な挟持部と、
清掃対象箇所に付着している汚染物質に摺接されて汚染物質を取り除く接触部材と前記挟持部に取着され前記接触部材を支持する支持部材とを有する清掃部材と、を備えたことを特徴とする清掃装置。
【請求項２】
前記支持部材は、前記挟持部を収容する袋状に形成され、前記挟持部挿入口を前記棒状部の一端部に対応する位置に有することを特徴とする請求項１に記載の清掃装置。
【請求項３】
前記支持部材の前記挿入口の周囲に前記挿入口を縮径させる締め付け具を有することを特徴とする請求項２に記載の清掃装置。
【請求項４】
前記支持部材は、所要の長矩形に形成されていることにより、前記挟持部の内面側より外面側に折り曲げられて前記挟持部を一巻きして重ね合わさるよう覆い、かつ、前記棒状部の一端部に対応するように前記長矩形の長辺の中程が湾状に切り欠かれた切欠部を有する平面部材であり、前記平面部材を前記挟持部に一巻きした重なり部が面状ファスナで閉じ合わされた請求項１に記載の清掃装置。
【請求項５】
前記接触部材は、マイクロファイバー製のパイルである請求項１ないし４のいずれか１項に記載の清掃装置。
【請求項６】
前記接触部材は、スポンジ体またはウレタンである請求項１ないし４のいずれか１項に記載の清掃装置。
【請求項７】
前記接触部材は、スポンジ体と、スポンジ体の片面または両面に積層された不織布とを有する請求項１ないし４のいずれか１項に記載の清掃装置。
【請求項８】
前記接触部材は、スポンジ体と、スポンジ体を収容している網袋とを有する請求項１ないし４のいずれか１項に記載の清掃装置。
【請求項９】
前記接触部材は、タワシである請求項１ないし４のいずれか１項に記載の清掃装置。
【請求項１０】
所定の長さを有する棒状部と、前記棒状部の一端部に取り付けられた把持部材と、前記把持部材に操作可能に取り付けられた操作部材と、を有する把持部と、前記棒状部の他端部に取り付けられ、前記操作部材の操作により開位置と閉位置との間で開閉可能であり、前記閉位置で挟み込み可能な挟持部と、を備えた清掃装置に用いる清掃部材であって、
清掃対象箇所に付着している汚染物質に摺接されて汚染物質を取り除く接触部材と、
前記挟持部に取着され前記接触部材を支持する支持部材と、を有することを特徴とする清掃部材。
【発明の詳細な説明】
【技術分野】
【０００１】
本発明は、清掃装置および清掃部材に関する。
【背景技術】
【０００２】
従来、モップタイプの清掃装置として例えば、特許文献１と特許文献２が開示されている。特許文献１のものは、Ｕ字形に折り曲げられた可撓性を有する偏平な筒状部材の外側面に多数のパイルを植設した拭取具と、筒状部材の両端開口から筒状部材の内部に差し込まれた二股片を先端部に有する柄とからなる集塵具において、柄に、開放方向の力が付与された二股片を閉鎖状態に保持する保持手段を設け、二股片の内側対向面に、二股片の閉鎖に伴って筒状部材の内側壁を挟持する突起を設けたモップである。このモップは、二股片を閉鎖すると、筒状部材の内側壁が二股片の内側対向面に設けられた突起により挟持され、拭取具が柄に固定され、二股片を開放すると、突起による筒状部材の内側壁の挟持が解除され、柄から拭取具を取り外すことができるようになっている。
【０００３】
特許文献２のものは、ブロック状支持基体の一端面に２本の棒状材が一体に、かつ厚さ方向にやや間隔を並べて高密度ポリエチレンで形成され、かつ棒状材のそれぞれを湾曲させたリング状の支持体が間隔をおいて形成され、支持基体にハンドルを取付けたモップ取付具である。このモップ取付具は、モップの袋状取付部にスムーズに一対の支持体を挿入することが可能であり、かつ一対の支持体をモップの袋状取付部に同時に挿入することが可能であるとともに、一対の支持体のそれぞれを各独立状のモップの袋状取付部に各別に挿入して、モップを取付けることができるようになっている。
【先行技術文献】
【特許文献】
【０００４】
【特許文献１】実用新案登録第３０１５０１５号公報
【特許文献２】特開平０８−３３６４９３号公報
【発明の概要】
【発明が解決しようとする課題】
【０００５】
しかしながら、従来のモップタイプの清掃装置は、高所位置や狭い位置に堆積した埃、こびり付いた汚れや油膜、錆び付き等の汚染物質を効率よく取り除くことについて何ら考慮されていないという問題があった。
【０００６】
本発明は、上述のような課題を解決するためになされたもので、高所位置や狭い位置に堆積した埃、こびり付いた汚れや油膜、錆び付き等の汚染物質を効率よく取り除くことができる清掃装置および清掃部材を提供することを目的とする。
【課題を解決するための手段】
【０００７】
本発明に係る清掃装置は、上記目的達成のため、所定の長さを有する棒状部と、前記棒状部の一端部に取り付けられた把持部材と、前記把持部材に操作可能に取り付けられた操作部材と、前記棒状部の他端部に取り付けられ、前記操作部材の操作により開位置と閉位置との間で開閉可能であり、前記閉位置で挟み込み可能な挟持部と、清掃対象箇所に付着している汚染物質に摺接されて汚染物質を取り除く接触部材と前記接触部材を支持し前記挟持部に取着される支持部材とを有する清掃部材と、を備えた構成である。
【０００８】
この構成により、本発明に係る清掃装置は、必要に応じて把持部材を把持し操作部材を操作することにより挟持部に取り付けられた清掃部材を高所位置や狭い位置に堆積した埃、こびり付いた汚れや油膜、錆び付き等の汚染物質が堆積している被清掃部位に対応させ、被清掃部位を清掃部材で軽く挟持し、清掃部材をスライドして汚染物質に対して摺動させることができる。したがって、本発明に係る清掃装置は、高所位置や狭い位置に堆積した汚染物質を効率よく取り除くことができる。
【０００９】
また、本発明に係る清掃装置は、前記支持部材が、前記挟持部を収容する袋状に形成され、前記挟持部挿入口を前記棒状部の一端部に対応する位置に有する構成とすることができる。
【００１０】
この構成により、本発明に係る清掃装置は、挿入口を外側にして清掃部材を二つ折りにするとともに、把持部材を閉状態から若干開いた状態とし、把持部材の先端を挿入口より内部に挿入していくことで、把持部材を袋部に収容することができる。
【００１１】
また、本発明に係る清掃装置では、前記支持部材の前記挿入口の周囲に前記挿入口を縮径させる締め付け具を有する構成であることが好ましい。
【００１２】
この構成により、本発明に係る清掃装置は、把持部材を袋部に収容した後に、挿入口を縮径して把持部材が袋部から抜け出る恐れが無い。したがって、袋状の清掃部材を把持部材にしっかり被せることができる。
【００１３】
また、本発明に係る清掃装置は、前記支持部材が、所要の長矩形に形成されていることにより、前記挟持部の内面側より外面側に折り曲げられて前記挟持部を一巻きして重ね合わさるよう覆い、かつ、前記棒状部の一端部に対応するように前記長矩形の長辺の中程が湾状に切り欠かれた切欠部を有する平面部材であり、前記平面部材を前記挟持部に一巻きした重なり部が面状ファスナで閉じ合わされた構成とすることができる。
【００１４】
この構成により、本発明に係る清掃装置は、把持部材を開状態とし、把持部材の内面に覆い部を当てがい、把持部材の外面側で覆い部の両端を重ね合わせ面状ファスナで閉じ合わせる把持部材の先端を挿入口より内部に挿入していくことで、把持部材を袋部に収容することができ、把持部材に対し清掃部材を迅速で確実な装着が行える。
【００１５】
また、本発明に係る清掃装置は、前記接触部材が、マイクロファイバーであるパイルとした構成を選択することができる。
【００１６】
この構成により、本発明に係る清掃装置は、高所位置や狭い位置の、強くこびり付いて堆積した埃で覆われた清掃対象物に対し、パイルで挟持した状態で往復摺接することにより汚れを浮かせかつマイクロファイバーが有している埃吸着性により効率よく汚れを吸着し取り除くことができる。
【００１７】
本発明に係る清掃装置は、前記接触部材が、スポンジ体またはウレタンである構成を選択することができる。
【００１８】
この構成により、本発明に係る清掃装置は、スポンジ体またはウレタンに洗剤を含浸させ、高所位置や狭い位置の、強くこびり付いて堆積したオイルミストを含んだ汚れで覆われた表面が軟らかい清掃対象物、例えば網戸に対し、スポンジ体またはウレタンで挟持した状態で往復摺接することにより効率よく汚れを取り除くことができる。
【００１９】
本発明に係る清掃装置は、前記接触部材として、スポンジ体と、スポンジ体を収容している網袋と、からなる構成を選択することができる。
【００２０】
この構成により、本発明に係る清掃装置は、スポンジ体に洗剤を含浸させ、高所位置や狭い位置の、強くこびり付いて堆積したオイルミストを含んだ汚れで覆われた表面が軟らかい清掃対象物、例えば網戸に対し、スポンジ体で挟持した状態で往復摺接することにより効率よく汚れを取り除くことができる。
【００２１】
本発明に係る清掃装置は、前記接触部材として、スポンジ体と、スポンジ体の片面または両面に積層された不織布と、を有する構成を選択することができる。
【００２２】
この構成により、本発明に係る清掃装置は、スポンジ体に洗剤を含浸させ、高所位置や狭い位置の、強くこびり付いて堆積したオイルミストを含んだ汚れで覆われた清掃対象物、例えばガラスサッシに対し、摩擦係数が大きい不織布で挟持した状態で往復摺接することにより効率よく汚れを取り除くことができる。
【００２３】
本発明に係る清掃装置は、前記接触部材として、タワシからなる構成を選択することができる。
【００２４】
この構成により、本発明に係る清掃装置は、必要に応じてタワシに洗剤を含浸させ、高所位置や狭い位置の、強くこびり付いて堆積したオイルミストを含んだ汚れで覆われた清掃対象物に対し、摩擦係数が大きいタワシで挟持した状態で往復摺接することにより効率よく汚れを取り除くことができる。
【００２５】
本発明に係る清掃部材は、所定の長さを有する棒状部と、前記棒状部の一端部に取り付けられた把持部材と、前記把持部材に操作可能に取り付けられた操作部材と、を有する把持部と、前記棒状部の他端部に取り付けられ、前記操作部材の操作により開位置と閉位置との間で開閉可能であり、前記閉位置で挟み込み可能な挟持部と、を備えた清掃装置に用いる清掃部材であって、清掃対象箇所に付着している埃、こびり付いた汚れや油膜、錆び付き等の汚染物質に摺接されて汚染物質取り除く接触部材と、前記挟持部に取着され前記接触部材を支持する支持部材と、を有する清掃部材と、を有する構成である。
【００２６】
この構成により、本発明に係る清掃部材は、本発明に係る清掃装置に用いられ、高所位置や狭い位置に堆積した埃、こびり付いた汚れや油膜、錆び付き等の汚染物質を効率よく取り除くことができる。
【発明の効果】
【００２７】
本発明によれば、高所位置や狭い位置に堆積した埃、こびり付いた汚れや油膜、錆び付き等の汚染物質を効率よく取り除くことができる清掃装置および清掃部材を提供することができる。
【図面の簡単な説明】
【００２８】
【図１】本発明の一実施の形態に係る清掃装置に係り、図１（Ａ）は、装置本体の概略の斜視図であり、図１（Ｂ）は、清掃部材の展開状態を示す挟持部挿入口より視た図であり、図１（Ｃ）は、装置本体の挟持部に清掃部材を被せて組み立てられた清掃装置の斜視図である。
【図２】本発明の一実施の形態に係る清掃装置に係り、装置本体の拡大縦断面図である。
【図３】本発明の一実施の形態に係る清掃装置に係り、図３（Ａ）は、装置本体の挟持部に対し清掃部材を被せるところを示す説明図、図３（Ｂ）〜（Ｅ）は、挟持部挿入口を狭める締め付け具の例を示す図である。
【図４】本発明の一実施の形態に係る清掃装置でカーテンレールに付着した埃を取り除くところを示す図である。
【図５】本発明の一実施の形態に係る清掃装置で天井面から吊り下がる照明器具の電気コードおよび吊り下げチェンに付着した埃を取り除くところを示す図である。
【図６】本発明の一実施の形態に係る清掃装置で室内壁と重量物との間の狭い空間に存在する電気コード等に付着した埃を取り除くところを示す図である。
【図７】本発明の他の実施の形態に係る清掃装置に用いられる清掃部材に係り、図７（Ａ）は裏面図であり、図７（Ｂ）は表面図である。
【図８】本発明の他の実施の形態に係る清掃装置の挟持部とこれに取着された清掃部材について、挟持部の開閉面に垂直な方向より見た要部拡大図である。
【図９】本発明の他の実施の形態に係る清掃装置の挟持部とこれに取着された清掃部材について、挟持部の開閉面に垂直な方向より見た要部拡大図である。
【図１０】本発明の他の実施の形態に係る清掃装置の挟持部とこれに取着された清掃部材について、挟持部の開閉面に垂直な方向より見た要部拡大図である。
【図１１】図１１（Ａ）は、本発明の他の実施の形態に係る清掃装置の挟持部とこれに取着された清掃部材について、挟持部の開閉面に垂直な方向より見た要部拡大図である。図１１（Ｂ）は、図１１（Ａ）におけるＸＩｂ−ＸＩｂ矢視図である。
【図１２】図１２（Ａ）は、本発明の他の実施の形態に係る清掃装置の挟持部とこれに取着された清掃部材について、挟持部の開閉面に垂直な方向より見た要部拡大図である。図１２（Ｂ）は、図１２（Ａ）におけるＸＩＩｂ−ＸＩＩｂ矢視図である。
【図１３】本発明の他の実施の形態に係る清掃装置の挟持部とこれに取着された清掃部材について、挟持部の開閉面に垂直な方向より見た要部拡大図である。
【発明を実施するための形態】
【００２９】
以下、本発明の実施の形態に係る清掃装置および清掃部材について、図面を参照して説明する。
【００３０】
［第１の実施の形態］
図１および図２に示すように、本実施の形態に係る清掃装置１は、装置本体１０と、装置本体１０に装着される清掃部材２０と、を備えている。
【００３１】
装置本体１０は、筒状であり所定の長さを有する棒状部１１と、棒状部１１の一端部に取り付けられた把持部材１３と、把持部材１３に操作可能に取り付けられた操作部材１４と、棒状部１１の他端部に取り付けられたＴ形部材１５に回動可能に支持された挟持部１６と、棒状部１１の内部に挿通され操作部材１４への操作力を挟持部１６が開閉するように伝達する運動伝達機構１９と、を備えている。
【００３２】
棒状部１１は、例えば外径が１０ｍｍの鋼管、ステンレス鋼管、アルミニウム管、樹脂管のいずれかが選ばれ、例えば１〜２ｍの長さに切断されたものである。
【００３３】
把持部材１３は、樹脂成形体であり、棒状部１１の一端部に強制被嵌された筒部１３ａと、筒部１３ａより延設された握り部１３ｂとを有する。握り部１３ｂは、棒状部１１の中心延長線に対して、例えば２０度傾いて延設され、棒状部１１の中心延長線に対して垂直な面を通る断面形状がＵ形であり、かつＵ形の開口側が棒状部１１の中心延長線から離れる側にある。
【００３４】
操作部材１４は、いわゆるレバーであり、樹脂成形体よりなり、握り部１３ｂのＵ溝空間と略等しい長さを有し、当該Ｕ溝空間に収容され、棒状部側の一端が、断面Ｕ形の握り部１３ｂの内部で両端固定されたピン軸１３ｃに回動可能に連結されている。
【００３５】
操作部材１４は、棒状部側にストッパ部１４ａを有し、握り部１３ｂのＵ溝空間に収容される方向の幅の三分の一が当該Ｕ溝空間に収容された状態で、ストッパ部１４ａが握り部１３ｂに当接するようになっている。これにより、操作部材１４が握り部１３ｂのＵ溝空間からそれ以上の突出が不能になっている。
【００３６】
挟持部１６は、一対の腕部１７を有し、棒状部１１の上端部（他端部）に取り付けられたＴ形部材１５に開閉可能に取付けられている。Ｔ形部材１５は、棒状部１１の上端部（他端部）に強制被嵌された筒部１５ａと、筒部１５ａよりＴ形二股状に延設された支持部１５ｂと、を有する。
【００３７】
一対の腕部１７は、各中途部が、Ｔ形二股状の支持部１５ｂのＴ形の両側張出端部に挟まれ、かつ、支持部１５ｂに両側張出端部に両端固定されたピン軸１８が貫通している。これにより、一対の腕部１７は、各中途部が、支持部１５ｂに両側張出端部にピン軸１８により回動可能に支持されている。
【００３８】
一対の腕部１７は、先端部１７ａ同士が閉じ合わさる状態になるとき、先端部１７ａを除くピン軸１８より先側の湾曲部１７ｂ同士が閉じた貫通状態に二つ割りの扁平円を形成するようになっている。また、一対の腕部１７は、湾曲部１７ｂ同士が半円状湾部を形成するように最大に開いているとき、ピン軸１８より基側の直線部１７ｃ同士が互いに相手側のピン軸１８の方向に水平に延びてすれ違い状態に重なり、この重なり部分に水平方向に長い長孔スリット１７ｄを有する。
【００３９】
握り部１３ｂの内部から棒状部１１の内部を通りＴ形部材１５の内部にわたる範囲に運動伝達機構１９が装着され、かつ運動伝達機構１９の両端が一対の腕部１７と操作部材１４とに連結されている。これにより、操作部材１４の操作により運動伝達機構１９が操作部材１４の運動を一対の腕部１７に伝達し、一対の腕部１７が開位置と閉位置との間で開閉可能で、かつ閉位置で挟み込み可能になっている。
【００４０】
運動伝達機構１９は、一対の直線部１７ｃの長孔スリット１７ｄに係合されたスライダ１９ａと、操作部材１４の内部に挿通され上端をスライダ１９ａに係留され下端が握り部１３ｂ内の中程まで延びているワイヤー１９ｂと、Ｔ形部材１５の筒部１５ａ内で上端をスライダ１９ａに巻き付け固定され下端を棒状部１１の端面に当接された圧縮状態に収容され一対の腕部１７の直線部１７ｃを付勢して一対の腕部１７を開状態にする圧縮ばね１９ｃと、ワイヤー１９ｂの下端を係留している係留金具１９ｄと、傾斜方向下方側でかつ操作部材側の一端を係留金具１９ｄと連結され傾斜方向下方側でかつ握り部側の他端を握り部１３ｂの内部に設けられた係止用凸部１９ｅの下側に当接され斜めに傾斜した揺動スティック１９ｆと、操作部材１４の内部に設けられ係留金具１９ｄに当接する当接部１９ｇと、操作部材１４の内部にリブ状に設けられ張出側にスリットを有し当該スリットにワイヤー１９ｂの係留金具１９ｄの近傍を通してワイヤー１９ｂの触れを防止するガイド１９ｈと、を有する。
【００４１】
圧縮ばね１９ｃは、スライダ１９ａを上動位置に移動し、一対の腕部１７を開状態となるように付勢し、ワイヤー１９ｂを上方へ牽引し、揺動スティック１９ｆの傾斜方向下方側でかつ操作部材側の一端を上動位置に引き上げて当接部１９ｇを押圧してストッパ１４ａが当接した状態に操作部材１４を握り部１３ｂから押し出している。
【００４２】
操作者が握り部１３ｂを握り、操作部材１４を握り部１３ｂのＵ溝内に引き込むように握り締めると、当接部１９ｇが揺動スティック１９ｆの傾斜方向下方側でかつ操作部材側の一端を下動位置まで引き下げるとともに、ワイヤー１９ｂが下向きに牽引され圧縮ばね１９ｃを縮めてスライダ１９ａを下動位置に移動し、一対の腕部１７が閉状態になる。
【００４３】
清掃部材２０は、清掃対象箇所に付着している汚染物質に摺接されて汚染物質を取り除く接触部材２１と、挟持部１６に取着され接触部材２１を支持する支持部材２２と、を有する。
【００４４】
図３（Ａ）に示すように、この実施の形態では、支持部材２２は、織布と不織布のいずれかで挟持部挿入口２２ａを有し挟持部１６を収容するよう袋状に形成され、ここから挟持部１６が挿入されることにより挟持部１６に被さるように取付けられている。接触部材２１は、埃吸着性を有する複数のパイルが選択され支持部材２２の外面に植設されている。
【００４５】
挟持部挿入口２２ａは、長孔状に形成され、長手方向に対向縁を引っ張ったときの口幅最大寸法Ｗ１（図１参照）が、一対の腕部１７の湾曲部１７ｂの最大離間寸法Ｗ２（図３参照）よりも大きくなることにより一対の腕部１７の挿入を許すようになっている。
【００４６】
そして、図３（Ａ）に示すように、清掃部材２０は、袋状に形成された支持部材２２の挟持部挿入口２２ａの周縁に、挟持部挿入口２２ａを縮径させる締め付け具２３を有している。締め付け具２３は、図３（Ｂ），図３（Ｃ），図３（Ｄ）に示す構成のものを採用することができる。
【００４７】
図３（Ｂ）に示す締め付け具２３Ｂは、巾着袋と同様の袋開口の締め方を採用したもので、挟持部挿入口２２ａの周縁方向の少なくとも２カ所のそれぞれにバイアステープを二つ折りにして当該周縁を挟んで糸縫いされた複数の紐通し部２３ａと、複数の紐通し部２３ａに通された紐２３ｂとからなる構成であり、挟持部挿入口２２ａより一対の腕部１７を袋状の支持部材２２に収容した後に、一対の腕部１７が挟持部挿入口２２ａから抜け出ないよう紐２３ｂを締め付ける。
【００４８】
図３（Ｃ）に示す締め付け具２３Ｃは、挟持部挿入口２２ａの一方の長辺部に雄雌一対の面状ファスナのうちの、例えば短尺な雌型の面状ファスナ２３ｃを縫い付け、挟持部挿入口２２ａの他方の長辺部に長尺な雄型の面状ファスナ２３ｄの半分を対応して縫い付けた構成であり、挟持部挿入口２２ａより一対の腕部１７を袋状の支持部材２２に収容した後に、一対の腕部１７が挟持部挿入口２２ａから抜け出ないよう長尺な雄型の面状ファスナ２３ｄの非縫い付け部分を雌型の面状ファスナ２３ｃに重ねて係合する。
【００４９】
図３（Ｄ）に示す締め付け具２３Ｄは、下図のように横長な挟持部挿入口２２ａを上図のように短くなるように寄せて、両側に張り出すループ部分の両縁部に短い帯状のゴム紐２３ｅの両端を縫い付けた構成であり、下図のようにゴム紐２３ｅを伸ばしつつ挟持部挿入口２２ａを横長にして挟持部挿入口２２ａより一対の腕部１７を袋状の支持部材２２に収容し、その後は、ゴム紐２３ｅが縮むことで、一対の腕部１７が挟持部挿入口２２ａから抜け出る恐れがない。
【００５０】
図３（Ｅ）に示す締め付け具２３Ｅは、挟持部挿入口２２ａとしてＩ形スリットを形成し、短くなるように寄せて、両側に張り出すループ部分の両縁部に短い帯状のゴム紐２３ｆの両端を縫い付け、ゴム紐２３ｆを伸ばしつつＩ形スリットを開いて挟持部挿入口２２ａを開口し、挟持部挿入口２２ａより一対の腕部１７を袋状の支持部材２２に収容し、その後は、ゴム紐２３ｆが縮むことで挟持部挿入口２２ａが短くなり、一対の腕部１７が挟持部挿入口２２ａから抜け出る恐れがない。
【００５１】
清掃部材２０は、挟持部挿入口２２ａを外側にして二つ折りにされるとともに、把持部材１３を閉状態から若干開いた状態とし、把持部材１３の先端を挟持部挿入口２２ａより内部に挿入していくことで、把持部材１３を袋部に収容することができる。
【００５２】
また、清掃部材２０は、把持部材１３を袋部に収容した後に、挟持部挿入口２２ａを縮径して把持部材１３が袋部から抜け出る恐れが無い。したがって、袋状の清掃部材２０を把持部材１３にしっかり被せることができる。
【００５３】
接触部材２１としての複数のパイルは、例えば、ポリアミド、ポリエステル、ポリプロピレン、ポリエチレン等の合成樹脂製のマイクロファイバーであることが埃吸着性を有するので好ましい。さらに、複数のパイルには、例えば太さが２〜６ｍｍ位でかつ長さが２０〜４０ｍｍの短柱状の不織布を接触部材２１に植設した場合も含まれる。なお、接触部材２１を構成する織布と不織布についても、ホコリ吸着性を有するマイクロファイバー製であることが好ましい。
【００５４】
以上のように構成された本実施の形態に係る清掃装置１は、把持部材１３を把持し把持部材１３に取り付けられた清掃部材２０を埃が堆積している高所位置や狭い位置にある除塵対象物に対応させ、または机の後ろの狭い位置に通された電気コードなどに対応させ、操作部材１４を操作することにより清掃部材２０をカーテンレール、埃が堆積している手摺等の被清掃部位を軽く挟持させることができ、スライドさせることにより、埃を剥離させて清掃部材２０に吸着させることができる。
【００５５】
具体的には、図４に示すように、カーテンレールＫＬに埃が堆積している場合に、清掃装置１の挟持部１６に被された清掃部材２０でカーテンレールＫＬを挟持し、清掃部材２０をスライドさせることにより、カーテンレールＫＬに堆積した埃を剥離し、剥離した埃を清掃部材２０に吸着させることができる。
【００５６】
また、図５に示すように、清掃部材２０で天井部から照明を吊り下げている電気コードおよび吊り下げチェンＣに埃が堆積している場合に、清掃装置１の挟持部１６に被された清掃部材２０で電気コードおよび吊り下げチェンＣを挟持し、スライドさせることにより、電気コードおよび吊り下げチェンＣに堆積した埃を剥離し、剥離した埃を清掃部材２０に吸着させることができる。
【００５７】
さらに、図６に示すように、室内壁と室内壁に近接させた冷蔵庫等の重量物との間の狭い空間に存在する電気コード等に埃が堆積している場合に、清掃装置１の挟持部１６に被された清掃部材２０を狭い空間に挟入し、清掃部材２０で電気コード等を挟持しスライドさせることにより、埃を剥離し清掃部材２０に吸着させることができる。
【００５８】
したがって、本実施の形態に係る清掃装置１は、高所位置や狭い位置に堆積した埃を清掃部材２０で効率よく取り除くことができる。
【００５９】
［変形例］
上記の実施の形態では、接触部材２１として複数のパイルは、合成樹脂製のマイクロファイバーよりなる埃吸着性を有するパイルを採用しているが、清掃内容について、埃の除去に限定する趣旨ではない。本発明は、網戸やガラスサッシ、浴槽のヘリ部分、手摺、シャワーホースなどに付着する埃の除去、こびり付いた汚れの取り除き、油の汚れの除去、カビ取り等を除去し清掃するものであり、このため、接触部材２１として、パイルに替えて、スポンジまたはウレタン、片面または両面に不織布が積層されたスポンジ、網袋に収容されたスポンジ、あるいはタワシを一対の腕部１７に取り付けた形態を含むものである。
【００６０】
図７は、上述した清掃装置１の装置本体１０の挟持部１６を構成する一対の腕部１７に被される他の実施の形態に係る清掃部材２０Ａを示す。
【００６１】
この清掃部材２０Ａは、複数の接触部材２１Ａと、非袋形態の支持部材２２Ａとを有する。接触部材２１Ａは、埃吸着性を有するマイクロファイバーからなり、支持部材２２Ａの外面に植設されている。
【００６２】
支持部材２２Ａは、所要の長矩形に形成され、かつ、切欠部２２ｂを有する平面部材であり、各腕部１７の内面側の凹湾曲面に支持部材２２Ａの内面中央部を当てがわれ、各腕部１７の外面側に折り曲げられて各腕部１７を一巻きされ、両側縁を各腕部１７の外面側で合掌状に重ね合わされることで、各腕部１７に被された状態に取着され、平面部材を各腕部１７に一巻きした合掌状の重なり部が雄雌一対の面状ファスナ２３ｃ，２３ｄで閉じ合わされるよう構成されている。
【００６３】
清掃部材２０Ａについても、清掃部材２０と同様に、清掃装置１に用いられることで、高所位置や狭い位置に堆積した埃を効率よく吸着し取り除くことができる。
【００６４】
図８は、本発明の他の実施の形態に係る清掃装置１Ｂに用いられる清掃部材２０Ｂを示している。この実施の形態に係る清掃装置１Ｂは、図１（Ａ），図２に示す装置本体１０と、装置本体１０の挟持部１６を構成する一対の腕部１７に取着された清掃部材２０Ｂと、を有する。清掃部材２０Ｂは、接触部材２１Ｂと、袋状の支持部材２２Ｂとを有する。支持部材２２Ｂは、図３（Ａ）に示すものと同一の袋状に構成され、挟持部挿入口２２ａに図３（Ｂ）〜（Ｄ）に示す締め付け具２３Ｂ〜２３Ｄのいずれかの締め付け具を備えている。
【００６５】
この実施の形態の接触部材２１Ｂは、スポンジ体またはウレタンまたは網袋に収容されたスポンジ体のいずれかである。接触部材２１Ｂがスポンジ体またはウレタンである場合には、スポンジ体またはウレタンが袋状の支持部材２２Ｂの油性接着材で接着されている。また、接触部材２１Ｂが網袋に収容されたスポンジ体である場合は、網袋が袋状の支持部材２２Ｂが縫い糸で連結されている。
【００６６】
この構成により、清掃部材２０Ｂは、スポンジ体またはウレタンに洗剤を含浸させ、高所位置や狭い位置の、強くこびり付いて堆積したオイルミストを含んだ汚れで覆われた表面が軟らかい清掃対象物、例えば網戸に対し、スポンジ体またはウレタンで挟持した状態で往復摺接することにより効率よく汚れを取り除くことができる。
【００６７】
図９は、本発明の他の実施の形態に係る清掃装置１Ｃに用いられる清掃部材２０Ｃを示している。この実施の形態に係る清掃装置１Ｃは、図１（Ａ），図２に示す装置本体１０と、装置本体１０の挟持部１６を構成する一対の腕部１７に取着された清掃部材２０Ｃと、を有する。清掃部材２０Ｃは、接触部材２１Ｃと、袋状の支持部材２２Ｃとを有する。接触部材２１Ｃは、スポンジ体と、スポンジ体の片面または両面に積層された不織布とを有する。この不織布は、ポリアミド、ポリエステル、ポリプロピレン、ポリエチレン等よりなる。支持部材２２Ｃは、図３（Ａ）に示すものと同一の袋状に構成され、挟持部挿入口２２ａに図３（Ｂ）〜（Ｄ）に示す締め付け具２３Ｂ〜２３Ｄのいずれかの締め付け具を備えている。
【００６８】
この構成により、清掃部材２０Ｃは、スポンジ体に洗剤を含浸させ、高所位置や狭い位置の、強くこびり付いて堆積したオイルミストを含んだ汚れで覆われた清掃対象物、例えばガラスサッシに対し、接触部材２１Ｃの摩擦係数が大きい不織布で挟持した状態で往復摺接することにより効率よく汚れを取り除くことができる。
【００６９】
図１０は、本発明の他の実施の形態に係る清掃装置１Ｄに用いられる清掃部材２０Ｄを示している。この実施の形態に係る清掃装置１Ｄは、図１（Ａ），図２に示す装置本体１０と、装置本体１０の挟持部１６を構成する一対の腕部１７に取着された清掃部材２０Ｄと、を有する。清掃部材２０Ｄは、各腕部１７に対応するように分離した形態で一対有する。清掃部材２０Ｄは、スポンジ体と、スポンジ体の片面または両面に積層された不織布とを、不織布が外側になるように二つ折りにして、不織布が接触部材２１Ｄとなり、スポンジ体の二つ折りの合わせ面が支持部材２２Ｄとなっている。接触部材２１Ｄは、接着剤により腕部１７に接着されている。さらに、腕部１７のピン軸１８に近い位置でかつ清掃部材２０Ｄが被さる位置で、腕部１７と清掃部材２０Ｄとに一致して設けられた貫通孔を有し、この貫通孔に一方側からフランジ付ピン１７eが通され、他方側から十字スリットを有するワッシャ１７ｆがフランジ付ピン１７eのピン頭部に強制嵌着されている。もって、清掃部材２０Ｄが腕部１７に被さった状態に固定されている。
【００７０】
この構成により、清掃部材２０Ｄは、スポンジ体に洗剤を含浸させ、高所位置や狭い位置の、強くこびり付いて堆積したオイルミストを含んだ汚れで覆われた清掃対象物、例えばガラスサッシに対し、接触部材２１Ｄの摩擦係数が大きい不織布で挟持した状態で往復摺接することにより効率よく汚れを取り除くことができる。
【００７１】
図１１は、本発明の他の実施の形態に係る清掃装置１Ｅに用いられる清掃部材２０Ｅを示している。この実施の形態に係る清掃装置１Ｅは、図１（Ａ），図２に示す装置本体１０と比べ、一対の腕部１７Ｅが若干相違する装置本体１０Ｅと、一対の腕部１７Ｅに取着された清掃部材２０Ｅと、を有する。腕部１７Ｅは、ピン軸１８より短い長さ位置で先端面となりかつ先端面より筒孔が形成されている点が、図１（Ａ），図２に示す装置本体１０の一対の腕部１７と相違している。腕部１７Ｅの腕部１７よりも短くなった部分は、清掃部材２０Ｅが担持している。清掃部材２０Ｅは、接触部材２１Ｅとしてタワシが採用されている。タワシを構成する繊維はポリエチレンやＥＶＡ，ナイロンなどの合成樹脂からなる。タワシを構成する互いに捩じれた２本の芯金が繊維を放射方向に固定している。この実施の形態では、互いに捩じれた２本の芯金が両端部を揃えて二つ折りに湾曲され、２本の芯金の両端部が腕部１７Ｅの先端面より筒孔に挿し込み固定されている構成である。２本の芯金の差込部分が支持部材２２Ｅである。
【００７２】
この構成により、清掃部材２０Ｅは、必要に応じて接触部材２１Ｅのタワシに洗剤を含浸させ、高所位置や狭い位置の、強くこびり付いて堆積したオイルミストを含んだ汚れで覆われた清掃対象物に対し、摩擦係数が大きいタワシで挟持した状態で往復摺接することにより効率よく汚れを取り除くことができる。なお、接触部材２１Ｅは、棘状の繊維を放射状に設ける場合だけでなく、軟質で腰があり可撓性がある合成繊維製の太い線条体を放射状に設ける場合も含まれる。
【００７３】
図１２は、本発明の他の実施の形態に係る清掃装置１Ｆに用いられる清掃部材２０Ｆを示している。この実施の形態に係る清掃装置１Ｆは、図１（Ａ），図２に示す装置本体１０と、装置本体１０の挟持部１６を構成する一対の腕部１７に取着された清掃部材２０Ｆと、を有する。清掃部材２０Ｆは、接触部材２１Ｆとしてタワシが採用され、タワシを腕部１７の両側面に密着するようＵ形に湾曲し、かつ、腕部１７の挟持側の面に沿った形状として、各腕部１７に跨がせかつ両側側面に当てて、支持部材２２Ｆとして針金を採用し、針金で挟持部１６と接触部材２１Ｆを複数巻した構成である。
【００７４】
この構成により、清掃部材２０Ｆは、必要に応じて接触部材２１Ｆのタワシに洗剤を含浸させ、高所位置や狭い位置の、強くこびり付いて堆積したオイルミストを含んだ汚れで覆われた清掃対象物に対し、摩擦係数が大きいタワシで挟持した状態で往復摺接することにより効率よく汚れを取り除くことができる。
【００７５】
図１３は、本発明の他の実施の形態に係る清掃装置１Ｇに用いられる清掃部材２０Ｇを示している。この実施の形態に係る清掃装置１Ｇは、図１（Ａ），図２に示す装置本体１０と比べ、一対の腕部１７Ｇが若干相違する装置本体１０Ｇと、装置本体１０Ｇの一対の腕部１７Ｇに取着された清掃部材２０Ｇと、を有する。腕部１７Ｇは、ピン軸１８より短い長さ位置で先端面となりかつ先端面より雄ねじ１７ｇが形成されている点が、図１（Ａ），図２に示す装置本体１０の一対の腕部１７と相違している。腕部１７Ｇの腕部１７よりも短くなった部分は、清掃部材２０Ｇが担持している。清掃部材２０Ｇは、腕部１７Ｇの腕部１７よりも短くなった部分を合成樹脂成形体である角状の支持部材２２Ｇが担持し、接触部材２１Ｇとして放射状の繊維が支持部材２２Ｇに植設されている。支持部材２２Ｇは大径側の端面より開口された中空形状であり、開口より内面に雌ねじが形成されていて、腕部１７Ｇの雄ねじと螺合されている。接触部材２１Ｇを構成する放射状の繊維は、ポリエチレンやＥＶＡ，ナイロンなどの合成樹脂からなる。なお、接触部材２１Ｇを構成する繊維は、放射状でなくてもよい。また、腕部１７Ｇを用いずに、図１（Ａ），図２に示す腕部１７に直接植毛のための植毛用孔を開けて、植毛用孔を支持部材としてもよい。
【００７６】
この構成により、清掃部材２０Ｇは、必要に応じて接触部材２１Ｇに洗剤を含浸させ、高所位置や狭い位置の、強くこびり付いて堆積したオイルミストを含んだ汚れで覆われた清掃対象物に対し、挟持した状態で往復摺接することにより効率よく汚れを取り除くことができる。
【００７７】
このほかの清掃部材として、図示しないが、複数枚の不織布を重ねて幅中央線で縫い合わせたものを接触部材とし、この接触部材を袋状の支持部材に縫い合わせたものであってもよい。
【００７８】
以上説明したように、本発明によれば、高所位置や狭い位置に堆積した埃、こびり付いた汚れや油膜、錆び付き等の汚染物質を効率よく取り除くことができるという効果を有し、清掃装置および清掃部材の全般に優れる。
【符号の説明】
【００７９】
１，１Ｂ，１Ｃ，１Ｄ，１Ｅ，１Ｆ，１Ｇ  清掃装置
１０，１０Ｅ，１０Ｇ  装置本体
１１  棒状部
１２  把持部
１３  把持部材
１４  操作部材
１６  挟持部
２０，２０Ａ，２０Ｂ，２０Ｃ，２０Ｄ，２０Ｅ，２０Ｆ，２０Ｇ  清掃部材
２１，２１Ａ，２１Ｂ，２１Ｃ，２１Ｄ，２１Ｅ，２１Ｆ，２１Ｇ  接触部材
２２，２２Ａ，２２Ｂ，２２Ｃ，２２Ｄ，２２Ｅ，２２Ｆ，２２Ｇ  支持部材
２２ａ  挟持部挿入口
２２ｂ  切欠部
２３，２３Ｂ，２３Ｃ，２３Ｄ，２３Ｅ  締め付け具
２３ｃ，２３ｄ  面状ファスナ
【図１】
2018201871.tif 000003
【図２】
2018201871.tif 000004
【図３】
2018201871.tif 000005
【図４】
2018201871.tif 000006
【図５】
2018201871.tif 000007
【図６】
2018201871.tif 000008
【図７】
2018201871.tif 000009
【図８】
2018201871.tif 000010
【図９】
2018201871.tif 000011
【図１０】
2018201871.tif 000012
【図１１】
2018201871.tif 000013
【図１２】
2018201871.tif 000014
【図１３】
2018201871.tif 000015